(57)【特許請求の範囲】
【請求項１】
電源回路及び信号回路の途中に設けられる固定側コネクタ装置と、
該固定側コネクタ装置に係合・離脱することで前記電源回路をオン・オフする可動側コネクタ装置とを含み、
該可動側コネクタ装置は、前記固定側コネクタ装置に接続される端子金具と、該端子金具を収容するハウジングと、該ハウジングに対し回転自在且つスライド自在に設けられる操作レバーとを備え、
該操作レバーは、所定の間隔をあけて対向する一対のプレート部と、該一対のプレート部の一端側を連結するように形成される操作部とを有し、
前記一対のプレート部の他端側は、前記ハウジングに突出する一対の凸部を通して該一対の凸部を回転軸にする一対の孔部と、該一対の孔部に連続して前記一端側にのびる一対のガイド溝とを有する、
電源回路遮断装置において、
前記操作部は、前記一対のプレート部の延在方向及び前記操作部の連結方向に直交する方向に出没自在で且つ前記操作部が前記ハウジングから遠ざかるような前記操作レバーのスライド移動の際に少なくとも用いられる指掛け板を有する
ことを特徴とする電源回路遮断装置。
【請求項２】
請求項１に記載の電源回路遮断装置において、
前記指掛け板は、前記操作部から引き出す際に摘む凸形状の摘み部を有する
ことを特徴とする電源回路遮断装置。
【請求項３】
請求項１又は２に記載の電源回路遮断装置において、
前記指掛け板は、前記ハウジングに向く面となる前記操作部の内面を拡張するような指掛け範囲拡張面を有する
ことを特徴とする電源回路遮断装置。
【発明の詳細な説明】
【技術分野】
【０００１】
本発明は、導通状態にある電源回路を遮断することが可能な電源回路遮断装置に関する。
【背景技術】
【０００２】
例えばハイブリッド自動車や電気自動車の電源回路は高電圧の回路になる。従って、メンテナンス等で作業安全性を確保するためには、電源部と負荷部との通電を遮断する必要があり、下記特許文献１に開示されるような電源遮断装置を電源回路の途中に設けることが一般的である。
【０００３】
図８及び図９において、下記特許文献１の電源遮断装置１０１は、固定側電源コネクタ１０２と可動側電源コネクタ１０３とを備えて構成される。固定側電源コネクタ１０２は、図示しない電源回路の途中に設けられる。電源回路は、この途中部分の固定側電源コネクタ１０２に対し可動側電源コネクタ１０３が係合することでオンされる。尚、電源回路は、固定側電源コネクタ１０２と可動側電源コネクタ１０３との係合によるオンだけでは導通状態にならず、固定側電源コネクタ１０２に一体化する固定側信号コネクタ１０４と、可動側電源コネクタ１０３の操作レバー１０５に一体化する可動側信号コネクタ１０６との係合があった上で導通状態になる。固定側信号コネクタ１０４は、図示しない信号回路の途中に設けられる。
【０００４】
固定側電源コネクタ１０２は、図示しない電源回路に接続される端子１０７と、この端子１０７を収容するハウジング１０８とを備えて構成される。ハウジング１０８の一側部には、固定側信号コネクタ１０４が一体に設けられる。固定側信号コネクタ１０４は、図示しない信号回路に接続される端子と、この端子を収容して固定側電源コネクタ１０２に一体化するハウジング１０９とを有する。
【０００５】
可動側電源コネクタ１０３は、コネクタ本体１１０と、操作レバー１０５とを備えて構成される。コネクタ本体１１０は、固定側電源コネクタ１０２の端子１０７に接続されて図示しない電源回路をオンする端子１１１と、この端子１１１を収容するハウジング１１２とを備えて構成される。ハウジング１１２の一対の側部には、回転軸部１１３がそれぞれ突出形成される。この回転軸部１１３には、門形の操作レバー１０５が回転自在に組み付けられる。操作レバー１０５は、図８（ｂ）に示す如くの起立状態位置と、図８（ａ）に示す如くの倒伏状態位置との間で回転自在になるように組み付けられる。可動側信号コネクタ１０６は、固定側信号コネクタ１０４の端子（図示省略）に接続されて図示しない信号回路をオンする端子（図示省略）と、この端子を収容するハウジング１１４とを備えて構成される。
【０００６】
上記構成及び構造において、上記起立状態位置にある操作レバー１０５を持って矢印Ｚ方向に引き上げると、固定側電源コネクタ１０２から可動側電源コネクタ１０３が離脱して図示しない電源回路はオフされる。この時、電源回路の通電は遮断される。
【０００７】
例えばメンテナンス作業をした後は、固定側電源コネクタ１０２に対し矢印Ｚ方向に可動側電源コネクタ１０３を押し込むような格好で操作レバー１０５を持つと、可動側電源コネクタ１０３及び固定側電源コネクタ１０２の係合が行われて電源回路はオンされる。そして、操作レバー１０５を操作して倒伏状態位置にまで回転させ、さらには矢印Ｙ方向に操作レバー１０５をスライド移動させると、すなわち操作レバー１０５の操作部１１５を固定側電源コネクタ１０２やコネクタ本体１１０に近づける方向にスライド移動させると、固定側信号コネクタ１０４に可動側信号コネクタ１０６が係合する。これにより、図示しない信号回路がオンされて電源回路の導通が許容される。
【先行技術文献】
【特許文献】
【０００８】
【特許文献１】特開２０１２−５９５５４号公報
【発明の概要】
【発明が解決しようとする課題】
【０００９】
上記従来技術にあっては、電源回路の導通が許容された状態から、操作部１１５を固定側電源コネクタ１０２から遠ざける方向に操作レバー１０５をスライド移動させると、図示しない信号回路がオフされるとともに、操作レバー１０５は回転可能な状態になる。ところで、上記従来技術にあっては、引用符号１１６で示す空間（作業者の指が差し込まれる空間）が大きくとれるように操作部１１５の近傍が形成されることから、次のような問題点を有する。
【００１０】
すなわち、操作レバー１０５が比較的大きな部品になることから、電源遮断装置１０１は寸法Ｐの分だけの大きな搭載スペースを確保しなければならず、そのため大型化してしまうという問題点を有する。
【００１１】
上記問題点を解消するためには、操作部１１５の位置を変更して空間１１６を小さすればよいが、スライド移動の際の作業者による指掛け範囲が狭くなることから、作業性が悪くなってしまうという新たな問題点が生じてしまう。
【００１２】
本発明は、上記した事情に鑑みてなされたもので、小型化を図っても操作レバーのスライド移動の際の指掛け範囲を十分に確保して作業性の低下を防止することが可能な電源回路遮断装置を提供することを課題とする。
【課題を解決するための手段】
【００１３】
上記課題を解決するためになされた請求項１に記載の本発明は、電源回路及び信号回路の途中に設けられる固定側コネクタ装置と、該固定側コネクタ装置に係合・離脱することで前記電源回路をオン・オフする可動側コネクタ装置とを含み、該可動側コネクタ装置は、前記固定側コネクタ装置に接続される端子金具と、該端子金具を収容するハウジングと、該ハウジングに対し回転自在且つスライド自在に設けられる操作レバーとを備え、該操作レバーは、所定の間隔をあけて対向する一対のプレート部と、該一対のプレート部の一端側を連結するように形成される操作部とを有し、前記一対のプレート部の他端側は、前記ハウジングに突出する一対の凸部を通して該一対の凸部を回転軸にする一対の孔部と、該一対の孔部に連続して前記一端側にのびる一対のガイド溝とを有する、電源回路遮断装置において、前記操作部は、前記一対のプレート部の延在方向及び前記操作部の連結方向に直交する方向に出没自在で且つ前記操作部が前記ハウジングから遠ざかるような前記操作レバーのスライド移動の際に少なくとも用いられる指掛け板を有することを特徴とする。
【００１４】
請求項２に記載の本発明は、請求項１に記載の電源回路遮断装置において、前記指掛け板は、前記操作部から引き出す際に摘む凸形状の摘み部を有することを特徴とする。
【００１５】
請求項３に記載の本発明は、請求項１又は２に記載の電源回路遮断装置において、前記指掛け板は、前記ハウジングに向く面となる前記操作部の内面を拡張するような指掛け範囲拡張面を有することを特徴とする。
【発明の効果】
【００１６】
請求項１に記載された本発明によれば、操作部が出没自在な指掛け板を有することから、この指掛け板を操作部から引き出し、そして、指掛け板を含めて操作部に指を掛けながら操作レバーをスライド移動させれば、装置の小型化を図っても作業性を低下させることはない。従って、本発明によれば、小型化を図りつつ操作レバーのスライド移動の際の指掛け範囲を十分に確保して作業性の低下防止を図ることができるという効果を奏する。
【００１７】
請求項２に記載された本発明によれば、指掛け板が凸形状の摘み部を有することから、この摘み部を摘むことで容易に指掛け板を操作部から引き出すことができるという効果を奏する。これにより、操作レバーのスライド移動を開始する前の作業、すなわち指掛け板の引出作業を容易にすることができるという効果を奏する。
【００１８】
請求項３に記載された本発明によれば、指掛け板が指掛け範囲拡張面を有することから、指掛け範囲を広くとることができるという効果を奏する。これにより、操作レバーをスライド移動させる際の作業性向上に寄与することができるという効果を奏する。
【図面の簡単な説明】
【００１９】
【図１】本発明の電源回路遮断装置を示す分解斜視図である。
【図２】図１の可動側コネクタ装置の拡大分解斜視図である。
【図３】操作レバーが起立状態位置にある可動側コネクタ装置の側面図である。
【図４】操作レバーを回転移動させて操作レバーが倒伏状態位置にある可動側コネクタ装置の側面図である。
【図５】操作レバーをスライド移動させて操作レバーがスライド完了位置にある可動側コネクタ装置の側面図である。
【図６】指掛け板が引き出された状態の可動側コネクタ装置の側面図である。
【図７】指掛け板が引き出された状態の可動側コネクタ装置の斜視図である。
【図８】従来例の電源回路遮断装置を示す図であり、（ａ）は操作レバーをスライド移動させて操作レバーがスライド完了位置にある電源回路遮断装置の斜視図、（ｂ）は操作レバーが起立状態位置にある電源回路遮断装置の斜視図である。
【図９】図８の電源回路遮断装置の分解斜視図である。
【発明を実施するための形態】
【００２０】
電源回路遮断装置は、固定側コネクタ装置と可動側コネクタ装置とを含んで構成され、可動側コネクタ装置を構成する操作レバーの操作部には、少なくとも操作レバーのスライド移動の際に用いる指掛け板を出没自在に設ける。
【実施例】
【００２１】
以下、図面を参照しながら実施例を説明する。図１は本発明の電源回路遮断装置を示す分解斜視図である。また、図２は図１の可動側コネクタ装置の拡大分解斜視図、図３は操作レバーが起立状態位置にある可動側コネクタ装置の側面図、図４は操作レバーを回転移動させて操作レバーが倒伏状態位置にある可動側コネクタ装置の側面図、図５は操作レバーをスライド移動させて操作レバーがスライド完了位置にある可動側コネクタ装置の側面図、図６及び図７は指掛け板が引き出された状態の可動側コネクタ装置の側面図及び斜視図である。
【００２２】
尚、本実施例においては、図１中の矢印Ｙが前後方向、矢印Ｘが左右方向、矢印Ｚが上下方向を示す。
【００２３】
図１において、電源遮断装置１は、固定側コネクタ２を含む固定側コネクタ装置１Ａと、可動側コネクタ３を含む可動側コネクタ装置１Ｂとを備えて構成される。固定側コネクタ２は、例えばハイブリッド自動車や電気自動車の電源回路Ｄの途中に設けられる。本実施例の可動側コネクタ装置１Ｂは、例えばサービスプラグ４に相当するものである。先ず、上記の各構成及び構造について説明をする。
【００２４】
電源回路Ｄは、この途中に設けられる固定側電源コネクタ２に対し可動側電源コネクタ３が係合することでオンされる。尚、電源回路Ｄは、固定側電源コネクタ２と可動側電源コネクタ３との係合によるオンだけでは導通状態にならず、固定側電源コネクタ２に一体化する固定側信号コネクタ５と、可動側電源コネクタ３に一体化する可動側信号コネクタ６との係合があった上で、すなわち信号回路Ｓがオンされた上で導通状態になる。
【００２５】
固定側電源コネクタ２は、電源回路Ｄに接続される導電性の第一端子と、この第一端子を収容する絶縁性の第一ハウジング７とを備えて構成される。電源回路Ｄは、図１では矢印Ｘの左右方向に延在する回路である（左右方向は一例である）。電源回路Ｄは、この途中を分断する部分が設定されて上記第一端子が電気的に接続される。第一端子は、公知の端子金具であり、可動側電源コネクタ３との電気的な接続部分になるような形状に形成される。
【００２６】
第一ハウジング７には、固定側コネクタ装置１Ａを構成する固定側信号コネクタ５が一体に設けられる。この固定側信号コネクタ５は、信号回路Ｓの途中に設けられる。信号回路Ｓは、図１では電源回路Ｄと同様に矢印Ｘの左右方向に延在する回路である（左右方向は一例である）。信号回路Ｓは、この途中を分断する部分が設定されて導電性の第二端子が電気的に接続される。この第二端子も上記第一端子と同様に公知の端子金具であり、可動側信号コネクタ６との電気的な接続部分になるような形状に形成される。
【００２７】
固定側信号コネクタ５は、上記第二端子を収容する絶縁性の第二ハウジング８を有し、可動側信号コネクタ６との係合・離脱が可能な形状に形成される。
【００２８】
図１及び図２において、可動側電源コネクタ３は、可動側電源コネクタ本体９と、操作レバー１０とを備えて構成される。可動側電源コネクタ本体９は、固定側電源コネクタ２の第一端子に接続されて電源回路Ｄをオンする導電性の第三端子１１（端子金具）と、この第三端子１１を収容する絶縁性の第三ハウジング１２（ハウジング）とを備えて構成される。第三端子１１は、導電性を有する金属板をプレス加工することにより形成される。第三端子１１は弾力性を有し、この弾力性によって第一端子との電気的な接続を維持することができるように形成される。
【００２９】
第三ハウジング１２は、上壁、後壁、左壁、及び右壁を有し、前部及び下部が開口する筐体として形成される。前部の開口は、第三端子１１の組み付け部分として形成される。下部の開口は、固定側電源コネクタ２との係合・離脱を行う部分として形成される。第三ハウジング１２の内部には、固定側電源コネクタ２との係合空間が形成される。この係合空間には、第三端子１１が配置される。第三端子１１は、第三ハウジング１２の内部に形成されたランス部１３により保持される。
【００３０】
第三ハウジング１２の左壁及び右壁には、回転軸部１４（凸部）がそれぞれ一つずつ形成される。左壁及び右壁で一対となる回転軸部１４は、操作レバー１０を回転自在に組み付けるための部分として形成される。また、後述する一対のガイド溝２０により操作レバー１０をスライド自在にする部分としても形成される。一対の回転軸部１４は、左壁及び右壁における上側の位置に配置形成される。
【００３１】
操作レバー１０は、可動側電源コネクタ本体９と別体になる樹脂成形品であって、一対のプレート部１５と、操作部１６と、ブリッジ部１７とを有して例えば図示形状に形成される。このような操作レバー１０の左側のプレート部１５には、可動側信号コネクタ６が一体化される（後述する）。また、操作レバー１０の操作部１６には、本発明の特徴部分になる指掛け板１８が出没自在に設けられる（後述する）。操作レバー１０は、一対のプレート部１５の延在方向の長さを短くして小型化を図ったものである（図８及び図９で示す従来例の操作レバー１０５を比較すると小型である）。
【００３２】
一対のプレート部１５の一端側は、操作部１６により連結される。このような一対のプレート部１５の他端側には、第三ハウジング１２の一対の回転軸部１４を通す部分としての（一対の回転軸部１４を回転軸にする部分としての）一対の孔部１９が貫通形成される。また、この一対の孔部１９に連続するように一対のガイド溝２０も形成される。一対のガイド溝２０は、上記一端側に向けてのびるように貫通形成される。一対のガイド溝２０は、操作レバー１０をスライド自在にするための部分として形成される。
【００３３】
操作部１６は、一対の回転軸部１４から最も離れる位置で一対のプレート部１５を連結するように形成される。操作部１６は、固定側電源コネクタ２に対し可動側電源コネクタ３を係合・離脱させる際に、例えばメンテナンス作業者がこれを持って操作する部分として形成される。また、後述するが、スライド移動をさせる際に用いる部分としても形成される。操作部１６は、所謂取っ手として形成される。
【００３４】
操作部１６には、指掛け板装着部２１が形成される。この指掛け板装着部２１は、一対のプレート部１５の延在方向及び操作部１６の連結方向に直交する方向に指掛け板１８を出没自在にすることができるように形成される。指掛け板装着部２１は、指掛け板１８の形状に合わせて凹むような形状の部分に形成される。
【００３５】
指掛け板１８は、操作レバー１０のスライド移動に伴って操作部１６が第三ハウジング１２の後壁に近接するような場合に有効になる部品である。別な言い方をすれば、操作レバー１０の長さを短くして小型化を図る場合に有効になる部品である。指掛け板１８は、樹脂成形品であって、例えば図１に示すような略プレート形状の部品として形成される。指掛け板１８は、指掛け板本体２２と、一対のランスロック２３と、摘み部２４とを有する。
【００３６】
指掛け板本体２２は、矩形の板状部分と、この板状部分から左右方向に突出する凸部分とを有して略Ｔ字状の形状に形成される。板状部分の一方の面は、操作部１６の内面２５（図７参照。第三ハウジング１２に向く面）を拡張するような機能部分、すなわち指掛け範囲拡張面２６として形成される。一対のランスロック２３は、上記凸部分に連続する片持ちアーム形状の係止部分であって、可撓性を活用して指掛け板１８を指掛け板装着部２１に出没自在にするとともに、抜けを防止する部分として形成される。摘み部２４は、指掛け板装着部２１から指掛け板１８を引き出す際に摘む凸形状の部分に形成される。
【００３７】
操作レバー１０は、図３に示す如く一対のプレート部１５の延在方向が上下方向（係合・離脱の方向）に沿う時に起立状態位置になり、そして、矢印の方向に回転移動をさせて図４に示す如く一対のプレート部１５の延在方向が前後方向に沿う時に倒伏状態位置になるように組み付けられる。すなわち、操作レバー１０は、上記起立状態位置と上記倒伏状態位置との間で回転自在になるように、一対の回転軸部１４に組み付けられる。
【００３８】
操作レバー１０の起立状態位置では、固定側電源コネクタ２に対する可動側電源コネクタ３の係合・離脱が行えるようになる。操作レバー１０による操作として、固定側電源コネクタ２（図１参照。尚、図３ないし図７では図示を省略する）に対し可動側電源コネクタ３を係合させた後は、倒伏状態位置まで操作レバー１０を回転させるだけである。
【００３９】
図１ないし図７において、可動側信号コネクタ６は、可動側コネクタ装置１Ｂを構成するコネクタであって、上記の如く操作レバー１０の左側のプレート部１５に一体化するように設けられる。また、可動側信号コネクタ６は、固定側信号コネクタ５に対し係合・離脱が可能な部分として設けられる。このような可動側信号コネクタ６は、導電性の第四端子２７と、この第四端子２７を収容する絶縁性の第四ハウジング２８とを備えて構成される。第四端子２７は、所謂ショート端子が用いられる。
【００４０】
上記構成及び構造において、図４に示す如く操作レバー１０が倒伏状態位置から矢印の方向にスライド移動をさせると、操作レバー１０に一体化する可動側信号コネクタ６が固定側信号コネクタ５（図１参照）に係合し、これにより操作レバー１０はスライド完了状態になる。このスライド完了状態になると、信号回路Ｓ（図１参照）はオンされて上記の導通状態になる。
【００４１】
例えば、メンテナンス作業をしようとする際には、先ず操作レバー１０をスライド移動させる必要があるが、本発明では操作レバー１０の長さを短くして小型化を図っていることから、操作レバー１０における操作部１６の内面２５（図７参照）にだけ作業者が指を掛けてスライド移動を行おうとするのは困難である。そこで本発明では、摘み部２４を摘んで図５の矢印の方向に指掛け板１８を引き出し、そして図６及び図７に示す如くの状態にすれば指掛け範囲を広くとることができる。作業者は、指掛け板１８を含めて操作部１６に指を掛けながら操作レバー１０をスライド移動させれば、この後のメンテナンス作業にスムーズに移行することができる。
【００４２】
以上、図１ないし図７を参照しながら説明してきたように、本発明によれば、小型化を図ることができるという効果を奏する。また、小型化を図っても操作レバー１０のスライド移動の際の指掛け範囲を十分に確保することができ、以て作業性を低下させないようにすることができるという効果を奏する。
【００４３】
本発明は本発明の主旨を変えない範囲で種々変更実施可能なことは勿論である。
【符号の説明】
【００４４】
Ｄ…電源回路、  Ｓ…信号回路、  １…電源遮断装置、  １Ａ…固定側コネクタ装置、  １Ｂ…可動側コネクタ装置、  ２…固定側コネクタ、  ３…可動側コネクタ、  ４…サービスプラグ、  ５…固定側信号コネクタ、  ６…可動側信号コネクタ、  ７…第一ハウジング、  ８…第二ハウジング、  ９…可動側電源コネクタ本体、  １０…操作レバー、  １１…第三端子（端子金具）、  １２…第三ハウジング（ハウジング）、  １３…ランス部、  １４…回転軸部（凸部）、  １５…プレート部、  １６…操作部、  １７…ブリッジ部、  １８…指掛け板、  １９…孔部、  ２０…ガイド溝、  ２１…指掛け板装着部、  ２２…指掛け板本体、  ２３…ランスロック、  ２４…摘み部、  ２５…内面、  ２６…指掛け範囲拡張面、  ２７…第四端子、  ２８…第四ハウジング
【図１】
0006319837.tif 000002
【図２】
0006319837.tif 000003
【図３】
0006319837.tif 000004
【図４】
0006319837.tif 000005
【図５】
0006319837.tif 000006
【図６】
0006319837.tif 000007
【図７】
0006319837.tif 000008
【図８】
0006319837.tif 000009
【図９】
0006319837.tif 000010